(57)【特許請求の範囲】
【請求項１】
Ｗ−ＣＤＭＡ方式の端末が基地局を介して通信を行うことが可能なエリアの状況を監視するエリア状況監視システムであって、
前記端末は、前記基地局を制御する基地局制御装置から報知されたセル群の受信電圧値と、前記セル群以外の他のセルのうち、受信電圧値が所定の基準レベル以上のものの前記受信電圧値を、前記基地局制御装置に報告する報告手段
を備え、
前記端末の位置を計算する位置計算手段と、
所定の地図情報を記憶する地図情報記憶手段と、
前記位置計算手段によって計算された各端末の位置と、各端末から報告される各セルの受信電圧値に基づいて、前記セルに対応する前記基地局から各端末までの距離を求め、前記基地局からの方位毎に、前記距離が最も大きいものの位置を前記地図情報にマッピングするマッピング手段と、
前記マッピング手段によって前記端末の位置がマッピングされた前記地図情報を表示する表示手段を備え、
前記表示手段は、各方位毎に前記地図情報にマッピングされた前記端末の位置を示すポイントのうち、同一のセルに属するもの同士を線で結んで表示する
ことを特徴とするエリア状況監視システム。
【請求項２】
Ｗ−ＣＤＭＡ方式の端末が基地局を介して通信を行うことが可能なエリアの状況を監視するエリア状況監視方法であって、
前記端末は、前記基地局を制御する基地局制御装置から報知されたセル群の受信電圧値と、前記セル群以外の他のセルのうち、受信電圧値が所定の基準レベル以上のものの前記受信電圧値を、前記基地局制御装置に報告する報告ステップを備え、
前記端末の位置を計算する位置計算ステップと、
所定の地図情報を記憶する地図情報記憶ステップと、
前記位置計算ステップにおいて計算された各端末の位置と、各端末から報告される各セルの受信電圧値に基づいて、前記セルに対応する前記基地局から各端末までの距離を求め、前記基地局からの方位毎に、前記距離が最も大きいものの位置を前記地図情報にマッピングするマッピングステップと、
前記マッピングステップにおいて前記端末の位置がマッピングされた前記地図情報を表示する表示ステップとを備え、
前記表示ステップにおいては、各方位毎に前記地図情報にマッピングされた前記端末の位置を示すポイントのうち、同一のセルに属するもの同士を線で結んで表示する
ことを特徴とするエリア状況監視方法。
【請求項３】
Ｗ−ＣＤＭＡ方式の端末が基地局を介して通信を行うことが可能なエリアの状況を監視するエリア状況監視システムを制御するエリア状況監視プログラムであって、
前記端末に、前記基地局を制御する基地局制御装置から報知されたセル群の受信電圧値と、前記セル群以外の他のセルのうち、受信電圧値が所定の基準レベル以上のものの前記受信電圧値を、前記基地局制御装置に報告する報告ステップ
を実行させ、
前記端末の位置を計算する位置計算ステップと、
所定の地図情報を記憶する地図情報記憶ステップと、
前記位置計算ステップにおいて計算された各端末の位置と、各端末から報告される各セルの受信電圧値に基づいて、前記セルに対応する前記基地局から各端末までの距離を求め、前記基地局からの方位毎に、前記距離が最も大きいものの位置を前記地図情報にマッピングするマッピングステップと、
前記マッピングステップにおいて前記端末の位置がマッピングされた前記地図情報を表示する表示ステップと
を前記エリア状況監視システムに実行させ、
前記表示ステップにおいては、各方位毎に前記地図情報にマッピングされた前記端末の位置を示すポイントのうち、同一のセルに属するもの同士を線で結んで表示するように前記エリア状況監視システムを制御する
ことを特徴とするエリア状況監視プログラム。
【発明の詳細な説明】
【０００１】
【発明の属する技術分野】
本発明は、エリア状況監視システムに関し、特に、Ｗ−ＣＤＭＡシステムの保守・障害調査において、サービスエリア測定とサービスエリア監視を行うエリア状況監視システムに関する。
【０００２】
【従来の技術】
従来、携帯電話システムの障害の検証や電波伝搬に関わる技術的な検証などを目的としたフィールド試験は、測定者が現場に出向いて実施していた。また、気象や新設される建築物などの影響により発生する電波の不感地帯などのシステム的な障害などは、ユーザからのクレーム情報に頼り、そのクレーム情報をもとに、障害の検証、エリア測定等を行っていた。
【０００３】
【発明が解決しようとする課題】
しかしながら、上述した従来のシステムでは、次のような問題がある。第１の問題点は、サービスエリア全体についての障害を検出できないため、その検出はユーザからのクレーム情報に頼っていることである。その理由は、各地域における特異な気象や、都市部を中心として新設される建築物など、日々変化する通信環境を察して調査することが難しいからである。
【０００４】
第２の問題点は、現状では、上記第１の問題点を解決するためには、多額の投資が必要であるということである。その理由は、障害の検証やエリア測定に関して、専門の人材や機材を確保し、サービスするエリア全体をくまなく、しかも毎日測定することが要求されるためである。
【０００５】
本発明はこのような状況に鑑みてなされたものであり、環境によって日々動的に変化するエリア状況を、視覚的に監視することができるようにし、電波伝搬的な障害などを検出できるようにするものである。また、エンドユーザの通信を利用して、サービスエリアを検出することができるようにし、エリア測定のコストパフォーマンスを上げることができるようにするものである。
【０００６】
【課題を解決するための手段】
請求項１に記載のエリア状況監視システムは、Ｗ−ＣＤＭＡ方式の端末が基地局を介して通信を行うことが可能なエリアの状況を監視するエリア状況監視システムであって、端末は、基地局を制御する基地局制御装置から報知されたセル群の受信電圧値と、セル群以外の他のセルのうち、受信電圧値が所定の基準レベル以上のものの受信電圧値を、基地局制御装置に報告する報告手段を備え、端末の位置を計算する位置計算手段と、所定の地図情報を記憶する地図情報記憶手段と、位置計算手段によって計算された各端末の位置と、各端末から報告される各セルの受信電圧値に基づいて、セルに対応する基地局から各端末までの距離を求め、基地局からの方位毎に、距離が最も大きいものの位置を地図情報にマッピングするマッピング手段と、マッピング手段によって端末の位置がマッピングされた地図情報を表示する表示手段を備え、表示手段は、各方位毎に地図情報にマッピングされた端末の位置を示すポイントのうち、同一のセルに属するもの同士を線で結んで表示することを特徴とする。
請求項２に記載のエリア状況監視方法は、Ｗ−ＣＤＭＡ方式の端末が基地局を介して通信を行うことが可能なエリアの状況を監視するエリア状況監視方法であって、端末は、基地局を制御する基地局制御装置から報知されたセル群の受信電圧値と、セル群以外の他のセルのうち、受信電圧値が所定の基準レベル以上のものの受信電圧値を、基地局制御装置に報告する報告ステップを備え、端末の位置を計算する位置計算ステップと、所定の地図情報を記憶する地図情報記憶ステップと、位置計算ステップにおいて計算された各端末の位置と、各端末から報告される各セルの受信電圧値に基づいて、セルに対応する基地局から各端末までの距離を求め、基地局からの方位毎に、距離が最も大きいものの位置を地図情報にマッピングするマッピングステップと、マッピングステップにおいて端末の位置がマッピングされた地図情報を表示する表示ステップとを備え、表示ステップにおいては、各方位毎に地図情報にマッピングされた端末の位置を示すポイントのうち、同一のセルに属するもの同士を線で結んで表示することを特徴とする。
請求項３に記載のエリア状況監視プログラムは、Ｗ−ＣＤＭＡ方式の端末が基地局を介して通信を行うことが可能なエリアの状況を監視するエリア状況監視システムを制御するエリア状況監視プログラムであって、端末に、基地局を制御する基地局制御装置から報知されたセル群の受信電圧値と、セル群以外の他のセルのうち、受信電圧値が所定の基準レベル以上のものの受信電圧値を、基地局制御装置に報告する報告ステップを実行させ、端末の位置を計算する位置計算ステップと、所定の地図情報を記憶する地図情報記憶ステップと、位置計算ステップにおいて計算された各端末の位置と、各端末から報告される各セルの受信電圧値に基づいて、セルに対応する基地局から各端末までの距離を求め、基地局からの方位毎に、距離が最も大きいものの位置を地図情報にマッピングするマッピングステップと、マッピングステップにおいて端末の位置がマッピングされた地図情報を表示する表示ステップとをエリア状況監視システムに実行させ、表示ステップにおいては、各方位毎に地図情報にマッピングされた端末の位置を示すポイントのうち、同一のセルに属するもの同士を線で結んで表示するようにエリア状況監視システムを制御することを特徴とする。
【０００７】
【発明の実施の形態】
図１は、本発明のエリア状況監視システムを応用したＷ−ＣＤＭＡ（ｗｉｄｅｂａｎｄ−ＣＤＭＡ（ｃｏｄｅ  ｄｉｖｉｓｉｏｎ  ｍｕｌｔｉｐｌｅ  ａｃｃｅｓｓ））システムの一実施の形態の構成例を示す図である。図１を参照して、本実施の形態の概要について説明する。Ｗ−ＣＤＭＡ端末１には、基地局制御装置３から、基地局２を介して、端末１に近い複数の基地局２に対応するセルのセル番号が番号群として報知される。このとき、端末１は、報知された番号群に対応するセルの他に、所定の基準レベル以上の受信レベルで受信できた他のセルのセル番号についての情報と、上記番号群とを合わせて、基地局制御装置３に報告する。
【０００８】
また、基地局制御装置３及び基地局２は、Ｗ−ＣＤＭＡの特徴とも言える通信の選択合成を行う機能を有している。つまり、遅延する複数の通信信号について、それぞれどれだけの遅延量があるかを細かく把握できる能力を有している。Ｗ−ＣＤＭＡシステムでは、本機能を用いて、複数の無線通信路を設定し、通信を行う。そこで、それぞれの無線通信路について、細かく伝搬遅延を測定することにより、端末の位置座標を特定することができる。
【０００９】
本実施の形態は、端末１にて測定された基地局受信電圧情報と、基地局制御装置３によって計算された端末１の位置座標を合わせて監視卓４へ報告し、監視卓４にて電子地図情報とマージする機能を有している。そして、マージした結果としての電子地図情報を監視卓４の表示部１４の画面上に表示する機能を有する。
【００１０】
その結果、不特定多数のエンドユーザが本システムを利用する度に、各ユーザの位置を示す位置情報に対応した基地局受信電圧情報の更新が行われ、日々変化するエリア状況を視覚的に観測することが可能となる。また、基地局開業時のエリア状況と比較することにより、容易に障害検出ができるという効果が期待できる。
【００１１】
次に、図１を参照して、本発明のエリア状況監視システムを応用したＷ−ＣＤＭＡシステムの構成及び動作について詳細に説明する。同図に示すように、本実施の形態は、ユーザが使用する端末１と、無線中継局である基地局２と、基地局２や端末１を制御する基地局制御装置３と、これらのシステムを監視するための監視卓４から構成されている。実際には、端末１、基地局２はそれぞれ複数存在するが、ここではそれらを特に区別せず、端末１、基地局２と記載することにする。Ｗ−ＣＤＭＡシステム全体としては、まだ上位の装置などが含まれるが、本発明とは直接関係しないところなので、ここではその説明及び図示は省略する。
【００１２】
まず、端末１は、基地局２から送信されてきた制御信号を受信し、その制御信号の受信レベルを示す基地局制御信号受信電圧値を報告する基地局受信電圧報告部１１を有している。基地局制御装置３は、端末１の位置座標等の位置情報を計算する位置情報計算部１２と、計算によって得られた位置情報等を監視卓４に報告する報告部１３とを有している。監視卓４は、地図情報を蓄積する地図情報蓄積部１６と、端末１の位置座標情報と地図情報とをマージするデータマージ処理部１５と、端末１の位置座標情報と地図情報とがマージされたデータを表示する表示部１４とから構成されている。
【００１３】
端末１の基地局受信電圧報告部１１は、通信している間、定期的に現在受信している複数の基地局２の電波を、無線ゾーン（セル）単位にまとめて基地局制御装置３に報告する。このとき、基地局制御装置３では、位置情報計算部１２により、報告を上げてきた端末１の位置座標が測定される。一方、報告部１３は、位置情報計算部１２によって計算された計算結果としての端末１の位置座標情報と、端末１が報告してきた基地局制御信号受信電圧値を合わせて、監視卓４に報告する。
【００１４】
監視卓４の地図情報蓄積部１６は、基地局制御装置３の報告部１３から報告された位置座標情報と、基地局制御信号受信電圧値を蓄積する。蓄積された位置座標情報と基地局制御信号受信電圧値は、データマージ処理部１５によって地図情報と組み合わされ、地図上にエリアマップが描かれる。この情報、即ち、地図上にエリアマップが描かれたものは、表示部１４に表示される。
【００１５】
ここで、データマージ処理部１５について、図２を参照して詳細に説明をする。データマージ処理部１５は、方位・距離測定部２１と、判定部２２と、マッピング部２３と、描画部２４からなる。このうち、方位・距離測定部２１、判定部２２、マッピング部２３の処理の具体的な流れを、図３のフローチャートを参照して説明する。
【００１６】
まず、端末１の位置座標情報が入力されると、ステップＡ１において、方位・距離測定部２１は、基地局２のアンテナから見た端末１の方位を測定する。次に、ステップＡ２において、方位・距離測定部２１は、端末１の方位が、１０゜間隔に分割された方位群の中のどの方位群に対応するかを決定する。次に、ステップＡ３において、方位・距離測定部２１は、入力された端末１の位置座標情報に基づいて、基地局２の位置座標と端末１の位置座標の間の距離を測定する。
【００１７】
次に、ステップＡ４において、判定部２２により、ステップＡ３において測定された端末１と基地局２の間の距離が、同一の方位群の中で一番大きいか否かが判定される。即ち、端末１が属する方位群の中で、端末１が基地局２から一番遠いか否かが判定される。
【００１８】
その結果、端末１が基地局２から一番遠くにないと判定された場合、即ち、ステップＡ３において測定された結果としての測定結果の値よりも大きい値の測定結果が既に存在すると判定された場合、ステップＡ５に進み、ステップＡ３において測定された測定結果は廃棄される。一方、端末１が基地局２から一番遠いと判定された場合、即ち、ステップＡ３における測定結果の値が一番大きいと判定された場合、ステップＡ６に進む。
【００１９】
ステップＡ６においては、マッピング部２３により、地図情報蓄積部１６に蓄積されている地図情報に基づいて、対応する電子地図上の、基地局２から最も遠い端末１の位置座標に対応する位置にポイントが打たれる。このようにして、各基地局２から、方位群毎に最も遠い端末１の位置が地図上にマッピングされる。端末１の位置座標に対応する位置が地図上にマッピングされると、図２の描画部２４は、各方位群毎に地図上にマッピングされたポイントのうち、同一セル内に属するもの同士を１本の線で結ぶ。このようにして、基地局２の無線ゾーン単位のエリアマップを作成することができる。作成したエリアマップは、電子データとして地図情報蓄積部１６に保存される。保存されたエリアマップのデータは、図１の監視卓４の表示部１４の画面に表示され、ユーザは視覚的にサービスエリアの状況を見て取ることが可能となる。
【００２０】
以上説明したように、本実施の形態においては、次のような効果を奏する。第１の効果は、日々変化する環境下においても、無線ゾーン単位でエリアのチェックを行うことができることである。その理由は、一般ユーザの通信を利用して、サービスエリアの測定ができるためである。
【００２１】
第２の効果は、費用をかけることなくエリア試験を行うことができることである。その理由は、第１の効果の場合と同様に、一般ユーザの通信を利用してエリア試験を行うためである。
【００２２】
なお、上記実施の形態の構成及び動作は例であって、本発明の趣旨を逸脱しない範囲で適宜変更することができることは言うまでもない。
【００２３】
【発明の効果】
以上の如く、本発明によれば、端末の報告手段は、基地局を制御する基地局制御装置から報知されたセル群の受信電圧値と、セル群以外の他のセルのうち、受信電圧値が所定の基準レベル以上のものの受信電圧値を、基地局制御装置に報告し、位置計算手段が、端末の位置を計算し、地図情報記憶手段が、所定の地図情報を記憶し、マッピング手段が、各端末の位置と、各端末から報告される各セルの受信電圧値に基づいて、セルに対応する基地局から各端末までの距離を求め、基地局からの方位毎に、距離が最も大きいものの位置を地図情報にマッピングし、表示手段が、端末の位置がマッピングされた地図情報を表示する。また、表示手段は、各方位毎に地図情報にマッピングされた端末の位置を示すポイントのうち、同一のセルに属するもの同士を線で結んで表示するようにしたので、環境によって日々動的に変化するエリア状況を、視覚的に監視することができ、電波伝搬的な障害などを検出することができる。また、各端末の通信を利用してエリア状況を監視するとともに、サービスエリアを検出することができるので、エリア測定のコストパフォーマンスを上げることができる。
【図面の簡単な説明】
【図１】本発明の一実施の形態の全体の構成例を示す図である。
【図２】データマージ処理部の構成例を示すブロック図である。
【図３】基地局から最も遠い端末の位置を地図上にマッピングする手順を示すフローチャートである。
【符号の説明】
１  端末
２  基地局
３  基地局制御装置
４  監視卓
１１  基地局受信電圧報告部
１２  位置情報計算部
１３  報告部
１４  表示部
１５  データマージ処理部
１６  地図情報蓄積部
２１  方位・距離測定部
２２  判定部
２３  マッピング部
２４  描画部
【図１】
0003592268.tif 000002
【図２】
0003592268.tif 000003
【図３】
0003592268.tif 000004